(57)【要約】      （修正有）【課題】電力の送電線及び配電線を緊線する際に、ケーブルに屈曲クセ及び損傷等を生じる可能性が少ないケーブルグリップを提供する。【解決手段】長レバーのリング部に引張力を負荷することで、テコを利用してケーブルを把持する構造の掴線器において、その長レバー１の後端に設けたリング部２を、長レバー１及びケーブル３の平面に対して１５°〜４５°に捻ったことにより、リング部中心をケーブル中心に接近させ、リング部がケーブルに干渉しない様にして、掴線器を構成する。【選択図】図１ａ
0003163196.tif 000002
【実用新案登録請求の範囲】
【請求項１】
テコを利用したケーブルグリップにおいて長レバーの端部にあるリング部を１５°〜４５°の角度に捻ったことを特徴とするケーブルグリップ。
【考案の詳細な説明】
【技術分野】
【０００１】
本考案は、電力の送電線及び配電線を緊張する際に使用される、ケーブル（電線）を掴むケーブルグリップに関するものであり、ウィンチのフック等を接続する長レバーのリング部に工夫を加えることによって、ケーブル表面に生じる屈曲クセ及び損傷を防止するためのものである。
【背景技術】
【０００２】
従来からテコを利用したケーブルグリップは、長レバーとその端部にあるリング部が同一平面上にあるケーブルグリップが使用されている。（図２参照）
【考案の概要】
【考案が解決しようとする課題】
【０００３】
しかしながら長レバーとリング部が同一平面上にあるケーブルグリップでは、リング部の上部がケーブルに干渉してリング部中心をケーブル中心に接近させることが出来ない欠点があった。（図２ｂ参照）  その為、ケーブル中心とリング部中心との位置が大きくズレることになる。このズレの大きさが、ケーブルを緊線した際にケーブルを屈曲させることになる。（図３参照）
この屈曲によるケーブル表面に生じる屈曲のクセ及び損傷等（図４参照）の不都合を解決することを課題とする。
【課題を解決するための手段】
【０００４】
本考案は、ケーブルグリップの長レバーのリング部を１５°〜４５°の角度に捻ることにより、リング部の上部がケーブルに干渉することを避けてリング部中心をケーブル中心に接近させることが出来ることにより（図１参照）及び（図１ｂ参照）、上記課題を解決するものである。この角度の範囲外では実用的に不適当である。
【考案の効果】
【０００５】
本考案によるケーブルグリップは、部品数を増やす必要もなく、只、長レバーのリング部を捻るだけで容易に製作できる。また、ケーブル表面の損傷等（図４参照）を防止して、長期間設置され続けるケーブルの信頼性を向上させることが出来る利点がある。
【実施例１】
【０００６】
図１に示すように、ケーブルグリップの長レバー１の端部にあるリング部２を１５°〜４５°の角度に捻ることは容易に出来、部品数も増えずコストも最小にできる。更に、同一平面上にある、従来使用されている長レバーに比較しても、有効にリング部中心をケーブルに干渉させずに、ケーブル中心に接近させることが出来る。
【図面の簡単な説明】
【０００７】
【図１ａ】図１ａは、長レバーの端部にあるリング部を捻ったケーブルグリップの正面図である。
【図１ｂ】図１ｂは図１ａにおけるＡ−Ａ´線の断面図である。
【図２ａ】図２ａは、従来使われている長レバーと端部にあるリング部が同一平面上にあるケーブルグリップの正面図である。
【図２ｂ】図２ｂは図２ａにおけるＡ−Ａ´線の断面図である。
【図３】図３は、従来使われているケーブルグリップが、ケーブルを緊線した時にケーブルを屈曲させる状況図である。
【図４】図４は、屈曲させられたケーブルに発生するクセ及び損傷を示す図である。
【符号の説明】
【０００８】
１    長レバー
２    リング部
３    ケーブル
４    捻り個所
５    ケーブル中心とリング部中心との距離
６    ウィンチ側のフック
７    ケーブルの屈曲点
【図１ａ】
0003163196.tif 000003
【図１ｂ】
0003163196.tif 000004
【図２ａ】
0003163196.tif 000005
【図２ｂ】
0003163196.tif 000006
【図３】
0003163196.tif 000007
【図４】
0003163196.tif 000008
【手続補正書】
【提出日】平成22年4月12日(2010.4.12)
【手続補正１】
【補正対象書類名】実用新案登録請求の範囲
【補正対象項目名】全文
【補正方法】変更
【補正の内容】
【実用新案登録請求の範囲】
【請求項１】
テコ式の掴線器に於いて、その長レバー後端に設けたリング部を１５°〜４５°に捻ったことを特徴とする掴線器
【手続補正２】
【補正対象書類名】明細書
【補正対象項目名】全文
【補正方法】変更
【補正の内容】
【考案の詳細な説明】
【技術分野】
【０００１】  本考案は、電力の送電線及び配電線を緊張する際に使用される、ケーブル（電線）を掴む掴線器に関するものであり、ウィンチのフック等を接続する長レバーのリング部に工夫を加えることによって、ケーブル表面に生じる屈曲クセ及び損傷を防止するためのものである。
【背景技術】
【０００２】  従来からテコを利用した掴線器は、長レバーとその端部にあるリング部が同一平面上にある掴線器が使用されている。（図２参照）
【考案の概要】
【考案が解決しようとする課題】
【０００３】  しかしながら長レバーとリング部が同一平面上にある掴線器では、リング部の上部がケーブルに干渉してリング部中心をケーブル中心に接近させることが出来ない欠点があった。（図２ｂ参照）  その為、ケーブル中心とリング部中心との位置が大きくズレることになる。このズレの大きさが、ケーブルを緊線した際にケーブルを屈曲させることになる。（図３参照）
この屈曲によるケーブル表面に生じる屈曲のクセ及び損傷等（図４参照）の不都合を解決することを課題とする。
【課題を解決するための手段】
【０００４】  本考案は、掴線器の長レバーのリング部を１５°〜４５°の角度に捻ることにより、リング部の上部がケーブルに干渉することを避けてリング部中心をケーブル中心に接近させることが出来ることにより（図１参照）及び（図１ｂ参照）、上記課題を解決するものである。この角度の範囲外では実用的に不適当である。
【考案の効果】
【０００５】  本考案による掴線器は、部品数を増やす必要もなく、只、長レバーのリング部を捻るだけで容易に製作できる。また、ケーブル表面の損傷等（図４参照）を防止して、長期間設置され続けるケーブルの信頼性を向上させることが出来る利点がある。
【実施例１】
【０００６】  図１に示すように、掴線器の長レバー１の端部にあるリング部２を１５°〜４５°の角度に捻ることは容易に出来、部品数も増えずコストも最小にできる。更に、同一平面上にある、従来使用されている長レバーに比較しても、有効にリング部中心をケーブルに干渉させずに、ケーブル中心に接近させることが出来る。
【図面の簡単な説明】
【０００７】
【図１】図１ａは、長レバーの端部にあるリング部を捻った掴線器の正面図であり、図１ｂは図１ａにおけるＡ−Ａ´線の断面図である。
【図２】図２ａは、従来使われている長レバーと端部にあるリング部が同一平面上にある掴線器の正面図であり、図２ｂは図２ａにおけるＡ−Ａ´線の断面図である。
【図３】図３は、従来使われている掴線器が、ケーブルを緊線した時にケーブルを屈曲させる状況図である。
【図４】図４は、屈曲させられたケーブルに発生するクセ及び損傷を示す図である。
【符号の説明】
【０００８】１    長レバー
２    リング部
３    ケーブル
４    捻り個所
５    ケーブル中心とリング部中心との距離
６    ウィンチ側のフック
７    ケーブルの屈曲点
【手続補正書】
【提出日】平成22年7月26日(2010.7.26)
【手続補正１】
【補正対象書類名】実用新案登録請求の範囲
【補正対象項目名】全文
【補正方法】変更
【補正の内容】
【実用新案登録請求の範囲】
【請求項１】
長レバーのリング部に引張力を負荷することで、テコを利用してケーブルを把持する構造の掴線器において、その長レバーの後端に設けたリング部を、長レバー及びケーブルの平面に対して１５°〜４５°に捻ったことを特徴とする掴線器
【手続補正２】
【補正対象書類名】明細書
【補正対象項目名】全文
【補正方法】変更
【補正の内容】
【考案の詳細な説明】
【技術分野】
【０００１】  本考案は、電力の送電線及び配電線を緊張する際に使用される、ケーブル（電線）を掴む掴線器に関するものであり、ウィンチのフック等を接続する長レバーのリング部に工夫を加えることによって、ケーブル表面に生じる屈曲クセ及び損傷を防止するためのものである。
【背景技術】
【０００２】  従来からテコを利用した掴線器は、長レバーとその端部にあるリング部が同一平面上にある掴線器が使用されている。（図２参照）
【考案の概要】
【考案が解決しようとする課題】
【０００３】  しかしながら長レバーとリング部が同一平面上にある掴線器では、リング部の上部がケーブルに干渉してリング部中心をケーブル中心に接近させることが出来ない欠点があった。（図２ｂ参照）  その為、ケーブル中心とリング部中心との位置が大きくズレることになる。このズレの大きさが、ケーブルを緊線した際にケーブルを屈曲させることになる。（図３参照）  この屈曲によるケーブル表面に生じる屈曲のクセ及び損傷等（図４参照）の不都合を解決することを課題とする。
【課題を解決するための手段】
【０００４】  本考案は、掴線器の長レバーのリング部を１５°〜４５°の角度に捻ることにより、リング部の上部がケーブルに干渉することを避けてリング部中心をケーブル中心に接近させることが出来ることにより（図１参照）及び（図１ｂ参照）、上記課題を解決するものである。この角度の範囲外では実用的に不適当である。
【考案の効果】
【０００５】  本考案による掴線器は、部品数を増やす必要もなく、只、長レバーのリング部を捻るだけで容易に製作できる。また、ケーブル表面の損傷等（図４参照）を防止して、長期間設置され続けるケーブルの信頼性を向上させることが出来る利点がある。
【実施例１】
【０００６】  図１に示すように、掴線器の長レバー１の端部にあるリング部２を１５°〜４５°の角度に捻ることは容易に出来、部品数も増えずコストも最小にできる。更に、同一平面上にある、従来使用されている長レバーに比較しても、有効にリング部中心をケーブルに干渉させずに、ケーブル中心に接近させることが出来る。
【図面の簡単な説明】
【０００７】
【図１】図１ａは、長レバーの端部にあるリング部を捻った掴線器の正面図であり、図１ｂは図１ａにおけるＡ−Ａ´線の断面図である。
【図２】図２ａは、従来使われている長レバーと端部にあるリング部が同一平面上にある掴線器の正面図であり、図２ｂは図２ａにおけるＡ−Ａ´線の断面図である。
【図３】図３は、従来使われている掴線器が、ケーブルを緊線した時にケーブルを屈曲させる状況図である。
【図４】図４は、屈曲させられたケーブルに発生するクセ及び損傷を示す図である。
【符号の説明】
【０００８】  １    長レバー  ２    リング部  ３    ケーブル  ４    捻り個所  ５    ケーブル中心とリング部中心との距離  ６    ウィンチ側のフック  ７    ケーブルの屈曲点